(57)【特許請求の範囲】
【請求項１】
被撮影者の被撮影部を挟んで互いに対向するように設けたＸ線発生装置とＸ線受像装置とを有する旋回ユニットと、該旋回ユニットを制御する制御装置とを備え、上記旋回ユニットを旋回させつつＸ線発生装置から被撮影部に対してＸ線を照射し、被撮影部を透過したＸ線をＸ線受像装置で受けるパノラマ撮影が可能なＸ線撮影装置であって、
上記Ｘ線撮影装置は、上記パノラマ撮影に関連する複数の特別機能を実現するための、それぞれ少なくとも回路基板を含む複数の追加機構を取り付け可能であり、
上記Ｘ線撮影装置は、実行可能な特別機能の設定を手動で切り換える機能設定切換手段を備えており、
上記制御装置は、上記機能設定切換手段からの入力信号に基づいて、複数の特別機能のうち特定の特別機能を実行可能とすることを特徴とするＸ線撮影装置。
【請求項２】
上記特別機能は、自動露出機能、自動位置付け機能、スペシャルパノラマ撮影機能及びクロス断層撮影機能のうち少なくとも１つを含むことを特徴とする請求項１に記載のＸ線撮影装置。
【請求項３】
セファロスタットを備え、セファロ撮影を実行可能であることを特徴とする請求項１又は請求項２に記載のＸ線撮影装置。
【請求項４】
セファロスタットの取り付け部を備えることを特徴とする請求項１又は請求項２に記載のＸ線撮影装置。
【請求項５】
上記機能設定切換手段が複数のディップスイッチを備えており、これら複数のディップスイッチを用いて上記Ｘ線撮影装置が実行可能な特別機能を手動で有効にするようにしたことを特徴とする請求項１〜５のいずれかに記載のＸ線撮影装置。
【請求項６】
上記複数の特別機能に対応した制御プログラムを有する記憶部と、
上記ディップスイッチからの入力信号に基づいて、上記複数の特別機能のうちのいずれが有効であるかを判断し、有効と判断された特別機能に対応する制御プログラムを上記記憶部から読み出す制御部を備えたことを特徴とする請求項５に記載のＸ線撮影装置。
【発明の詳細な説明】
【０００１】
【発明の属する技術分野】
本発明は、歯科診断等の好適に使用されるパノラマＸ線撮影装置及びセファロ撮影またはクロス断層撮影機能付きのパノラマＸ線撮影装置に関する。
【０００２】
【従来の技術】
この種のＸ線撮影装置では、従来より、歯列弓等のパノラマ撮影を行う機能（パノラマ撮影機能）において、被撮影者を透過するＸ線量が一定となるように管電圧と管電流を自動的に調節する機能（自動露出機能）、被撮影者までの距離を計測してＸ線断層位置と被撮影者の位置を被撮影者を移動させることなく自動的に一致させる機能（自動位置付け機能）、及びパノラマ撮影機能に付加して顎骨等の特殊な部位のパノラマ撮影を行う機能（スペシャルパノラマ撮影機能）、パノラマ撮影以外の歯牙等の任意の断面を撮影する機能（クロス断層撮影機能）、Ｘ線源と被撮影者の位置関係を常に一定として撮影可能とする機能（セファロ撮影機能）等のパノラマ撮影に関連する各種の特別機能を備えたものが提案されている。
【０００３】
【発明が解決しようとする課題】
上記特別機能のうち一部の機能を有するＸ線撮影装置を設置した後に、使用者が別の機能を追加することを望む場合がある。例えば、パノラマ撮影機能と自動露出機能があれば十分であると判断して、これらの機能のみを備えるＸ線撮影装置を購入、使用していたが、その後セファロ撮影機能が必要となる場合がある。しかし、従来のこの種の装置では、新たな機能を追加するのは不可能であるか、あるいは、いったん設置した装置を工場に送って大幅な改造を行う必要があった。また、従来のこの種のＸ線撮影装置では、異なる機能を備えた別仕様の装置は個別に製作されており、製造コストが高いという問題もあった。
【０００４】
【課題を解決するための手段】
そこで本発明は、被撮影者の被撮影部を挟んで互いに対向するように設けたＸ線発生装置とＸ線受像装置とを有する旋回ユニットと、該旋回ユニットを制御する制御装置とを備え、上記旋回ユニットを旋回させつつＸ線発生装置から被撮影部に対してＸ線を照射し、被撮影部を透過したＸ線をＸ線受像装置で受けるパノラマ撮影が可能なＸ線撮影装置であって、
上記Ｘ線撮影装置は、上記パノラマ撮影に関連する複数の特別機能を実現するための、それぞれ少なくとも回路基板を含む複数の追加機構を取り付け可能であり、
上記Ｘ線撮影装置は、実行可能な特別機能の設定を手動で切り換える機能設定切換手段を備えており、
上記制御装置は、上記機能設定切換手段からの入力信号に基づいて、複数の特別機能のうち特定の特別機能を実行可能とすることを特徴としている。
【０００５】
上記特別機能には、自動露出機能、自動位置付け機能、スペシャルパノラマ撮影機能及びクロス断層撮影機能が含まれる。セファロスタットを備え、セファロ撮影を実行可能としてもよい。また、セファロスタットの取り付け部を設けてもよい。
【０００６】
本発明の他の形態のＸ線撮影装置は、上記機能設定切換手段が複数のディップスイッチを備えており、これら複数のディップスイッチを用いて上記Ｘ線撮影装置が実行可能な特別機能を手動で有効にするようにしたことを特徴とする。
【０００７】
本発明の他の形態のＸ線撮影装置は、上記複数の特別機能に対応した制御プログラムを有する記憶部と、上記ディップスイッチからの入力信号に基づいて、上記複数の特別機能のうちのいずれが有効であるかを判断し、有効と判断された特別機能に対応する制御プログラムを上記記憶部から読み出す制御部を備えたことを特徴とする。
【０００８】
【発明の作用及び効果】
本発明に係るＸ線撮影装置では、機能設定切換手段の設定に基づいて、制御装置が複数の特別機能のうち特定の特別機能を実行可能とする。よって、Ｘ線撮影装置の設置後に特定の特別機能を実現するための追加機構を追加し、かつ、機能設定切換手段を切り替えるだけで新たに特別機能を追加することができる。また、異なる特別機能を備える別個の仕様のＸ線撮影装置であっても、追加機構の有無と機能設定切替手段の設定が異なるだけであり、制御装置等の他の機構を共用することができる。よって、本発明に係るＸ線撮影装置であれば、製造コストを低減することができる。
【０００９】
【発明の実施の形態】
以下、添付図面を参照して本発明の実施形態を説明する。
（第１実施例）
図１は、本発明の第１実施形態に係る歯科診断用のＸ線撮影装置１０の外観を示す。このＸ線撮影装置１０は、歯科診療用防Ｘ線室の床面１２に固定されたベース１４と、このベース１４に垂直に固定された支柱１６を有する。支柱１６の上部には昇降ユニット１８が設けてあり、この昇降ユニット１８は図示しない駆動装置により支柱１６に沿って上下移動できるようにしてある。昇降ユニット１８は、メーンフレーム２０と、このメーンフレームの上部と下部からそれぞれ前方に突出した上部フレーム２２と下部フレーム２４とからなり、上部フレーム２２は後述する連結軸を介して旋回ユニット２６の本体２７を支持し、下部フレーム２４は被撮影者の頭部を固定するためのチンレスト２８、側頭部押さえ２９、ハンドル３０等を備えている。また、下部フレーム２４には小型表示パネル６８Ａ（図３に図示する。）が設けられている。
【００１０】
上記昇降ユニット１８の上部フレーム２２には、Ｘ方向（メーンフレーム２０に対して上部フレーム２２と下部フレーム２４が突出している方向と平行な方向）とＹ方向（水平面上でＸ方向と直交する方向）に移動するＸＹ移動機構に鉛直方向に下向きに延びる連結軸３５（図２参照）が固定されている。
図２に示すように、連結軸３５の下端側には、転がり軸受３６を介して旋回ユニット２６の本体２７のハウジング２７ａが固定されており、ハウジング２７ａ内に突出する連結軸３５の下端にはプーリ３７が固定されている。また、本体２７のハウジング２７ａ内には旋回用モータ３９が固定されており、この旋回用モータ３９の出力軸３９ａにプーリ４１が固定されている。プーリ３７，４１は駆動用タイミングベルト４２が張設されており、旋回用モータ３９が回転すると、旋回ユニット２６が連結軸３５を中心として旋回する。
【００１１】
鉛直方向下向きに延びる旋回ユニット２６の本体２７の両端部には、それぞれＸ線発生装置４５とＸ線受像装置４６が取り付けられており、これらＸ線発生装置４５とＸ線受像装置４６は水平方向に互いに対向している。
【００１２】
このＸ線撮影装置１０は、上記Ｘ線発生装置４５、Ｘ線受像装置４６の交換、図５で後述する回路基板６９，７１，７４，８４の取付等により、パノラマ撮影に関連する、自動露出機能、自動位置付け機能、スペシャルパノラマ撮影機能、クロス断層撮影機能のうちの所望の機能（特別機能）を持たせることができる。昇降ユニット１８の下部フレーム２４には、これらの特別機能の設定を手動で切り替えるためのディップスイッチ５０ａ，５０ｂ，５０ｃ（図３参照）が設けられいる。このディップスイッチ５０ａ〜５０ｃのうち、５０ａが自動露出機能、５０ｂが自動位置付け機能、５０ｃがスペシャルパノラマ機能に対応しており、これらのディップスイッチ５０ａ〜５０ｂを“０Ｎ”側に設定するとその機能が有効になり、“ＯＦＦ”側に設定するとその機能は抑止される。
【００１３】
さらに、上記昇降ユニット１８の下部フレーム２４内には、図３に示す制御装置５１が収容されている。この制御装置５１は、第１ＣＰＵ５３Ａと第２ＣＰＵ５３Ｂを備えている。このうち第１ＣＰＵ５３Ａには、上記ディップスイッチ５０ａ〜５０ｃから信号が入力される。第１ＣＰＵ５３Ａは、このディップスイッチ５０ａ〜５０ｃからの入力信号に基づいて、上記特別機能のうちいずれが有効であるかを判断し、対応する制御プログラムを第１記憶部５４Ａから読み出す。また、第２ＣＰＵ５３Ｂは後述するように自動位置付け機能用の回路基板７１の有無を判断する。
【００１４】
また、制御装置５１には各種のセンサ類５４及びスイッチ類５５から信号が入力されると共に、仕様によっては図５で後述するＸ線センサ６７、フィルムスピードセンサ６８、測距センサ７０等から信号が入力される。さらに、制御装置５１は上記第１及び第２ＣＰＵ５３Ａ，５３Ｂの判断に基づいて、上記ＸＹ移動機構のＸ軸、Ｙ軸用モータ５６の他、上記した旋回用モータ３９の他、後述するＸ線管５９、カセットホルダ移動用モータ６５等を制御する。
【００１５】
（標準仕様）
まず、パノラマ撮影のみを行う標準仕様の場合、Ｘ線発生装置４５は図４（Ａ）に示すスリット形状一定型であり、Ｘ線受像装置４６は上記図２に示す固定型である。
上記図４（Ａ）に示すスリット形状一定型のＸ線発生装置４５は、ハウジング４５ａ内にＸ線管５９、一次スリットを有するＸ線遮蔽板６０等を備えており、一次スリットを有するＸ線遮蔽板６０はハウジング４５ａに対して固定されている
【００１６】
上記図２に示す固定型のＸ線受像装置４６は、吊り板６２により旋回ユニット２６の本体２７に着脱可能に固定されている。また、Ｘ線受像装置４６のハウジング４６ａ内には、スライド機構６３を介してカセットホルダ６４が摺動可能に支持されており、このカセットホルダ６４にＸ線フィルムを内蔵したフィルムカセット４７が収容されている。このカセットホルダは、ハウジング４６ａ内に収容されたカセットホルダ移動用モータ６５を作動するとスライド機構６３上を紙面に垂直な方向に移動するようにしてある。また、Ｘ線受像装置４６には二次スリットを有するＸ線遮蔽板６６等が取り付けてある。
【００１７】
標準仕様の場合には、液晶表示装置等から小型表示パネル６８Ａ（図３にのみ図示する。）を昇降ユニット１８の下部フレーム２４に取り付けられている。さらに、標準使用の場合には、すべてのディップスイッチ５０ａ〜５０ｃが“ＯＦＦ”に設定される。
【００１８】
この標準仕様で実行可能な上記パノラマ撮影では、上記ＸＹ移動機構によりその旋回中心が歯列弓等に沿って移動しつつ、旋回ユニット２６が旋回する。また、これと同時に、Ｘ線発生装置４５から歯列等に対してＸ線が照射され、Ｘ線受像装置４６が透過Ｘ線を受ける。
【００１９】
（自動露出機能追加仕様）
上記標準仕様に自動露出機能を追加した自動露出機能追加仕様とする場合には、図５に示すように、Ｘ線受像装置４６内に透過Ｘ線量を測定するためのＸ線センサ６７と、Ｘ線フィルムカセットの移動速度を検出するためのフィルムスピードセンサ６８を追加する。また、図５に示すように、下部フレーム２４内に自動露出測定機能を実行するために必要な機能を備える回路基板６９を取り付けて、上記制御装置５１の第１ＣＰＵ５３Ａに接続する。さらに、ディップスイッチ５０ａを“ＯＮ”に設定する。
【００２０】
上記自動露出では、実際の撮影を行う際に、旋回ユニット２６を旋回させつつ、Ｘ線発生装置４５のＸ線管５９から被撮影部に対してＸ線を照射して、透過Ｘ線量をＸ線センサ６７で検出し、かつ、その時のフィルムスピードをフィルムスピードセンサ６８により測定する。そして、この測定結果に基づいて、被撮影部を透過するＸ線量が一定となるようにＸ線管５９に印加する管電圧と管電流を自動的に調節する。
【００２１】
（自動位置付け機能追加仕様）
上記標準仕様に自動位置付け機能を追加した自動位置付け機能追加仕様とする場合には、昇降ユニット１８のメーンフレーム２０に図６に示す測距センサ７０を取り付けて、上記制御装置５１に接続する。また、図６に示すように、下部フレーム２４内に自動露出測定機能を実行するために必要な機能を備える回路基板７１を取り付けて、上記制御装置５１に接続する。さらに、ディップスイッチ５０ｂを“ＯＮ”に設定する。
【００２２】
上記自動位置付けでは、被撮影者までの距離を上記測距センサ７０により計測し、Ｘ線断層位置と被撮影者の位置が一致するように、ＸＹ移動機構によりＸ方向に旋回ユニットを移動させる。
【００２３】
（自動露出及び自動位置付け機能追加仕様）
上記標準仕様に自動露出機能と自動位置付け機能を追加した自動露出及び自動位置付け機能追加仕様とする場合には、図７に示すように、Ｘ線受像装置４５内にＸ線センサ６７と、フィルムスピードセンサ６８を取り付ける。また、昇降ユニット１８のメーンフレーム２０に測距センサ７０を取り付ける。さらに、図７に示すように、下部フレーム２４内に自動露出測定機能を実行するために必要な機能を備える回路基板６９と、自動露出機能を実行するために必要な機能を備える回路基板７１を取り付けて、それぞれ制御装置５１に接続する。さらにまた、ディップスイッチ５０ａ，５０ｂを“ＯＮ”に設定する。
【００２４】
（スペシャルパノラマ撮影機能追加仕様）
上記標準仕様のＸ線撮影装置１０を、顎骨、片顎等の特殊な部位の曲面断層撮影を行うスペシャルパノラマ撮影機能を追加したスペシャルパノラマ機能追加仕様とする場合には、図８に示すように、スペシャルパノラマ撮影を実行するのに必要な機能を備える回路基板７４を昇降ユニット１８の下部フレーム２４内に取り付けて制御装置５１の第１ＣＰＵ５３Ａに接続する。また、ディップスイッチ５０ｂを“ＯＮ”に設定する。
なお、上記自動露出機能追加仕様、自動位置付け追加仕様お自動露出機能及び自動位置付け追加仕様において、スペシャルパノラマ撮影機能を追加してもよい。
【００２５】
（クロス断層撮影機能追加仕様）
上記標準仕様のＸ線撮影装置を、クロス断層撮影機能を追加したクロス断層撮影機能追加仕様とする場合は、Ｘ線発生装置４５を図４（Ｂ）に示す一次スリット形状可変型とすると共に、Ｘ線受像装置４６を図９に示す揺動型とする。
【００２６】
上記図４（Ｂ）に示す一次スリット形状可変型のＸ線発生装置４５では、一次スリット用モータ７７を駆動することにより、形状の異なる一次スリットを有するＸ線遮蔽板６０を図４（Ｂ）の紙面表裏方向に移動できるようにしてあり、クロス断層撮影時には一次スリットを有するＸ線遮蔽板６０のスリット幅をパノラマ撮影時より広くするように変更できるようにしてある。一次スリット形状可変型のＸ線発生装置４５のその他の構造は、上記図４（Ａ）に示すスリット形状一型のＸ線発生装置４５と同様である。
【００２７】
上記図９に示す揺動型のＸ線受像装置４６は、旋回ユニット２６の本体２７に回動自在に支持された揺動軸７９に固定されている。また、上記旋回ユニット２６の本体２７内に揺動用モータ８０が収容固定されており、この揺動用モータ８０の出力軸８０ａに固定された平歯車８１がＸ線受像装置４６に固定された円弧状のラック８２と係合している。よって、揺動用モータ８０の回転方向に応じて旋回ユニット２６の本体２７に対してＸ線受像装置４６が揺動する。なお、揺動型のＸ線受像装置４６のその他の構造は、上記図２に示す固定型のＸ線発生装置４６と同様である。
【００２８】
また、クロス断層撮影機能追加仕様の場合には、図１０に示すようにクロス断層撮影を実行するために必要な機能を有する回路基板８４を追加する。さらに、クロス断層撮影機能の場合には、図１０に示すようにディップスイッチ５０ａ〜５０ｃをすべて“ＯＦＦ”に設定する。
【００２９】
クロス断層撮影では、Ｘ線受像装置４６を旋回ユニット２６の本体２７に対して揺動させることにより、旋回ユニット２６の本体２７の旋回角度位置に応じて、Ｘ線受像装置４６を一定角度揺動させる。これにより、Ｘ線発生装置４５から照射されたＸ線が平面断層内の同一領域を通過し、歯牙等の所望部位の断面を撮影することができる。
【００３０】
なお、上記した自動露出機能追加仕様からクロス断層撮影機能追加仕様において、大型表示パネル６８Ａ、一次スリット形状可変型のＸ線発生装置４５、揺動型のＸ線受像装置４６及び回路基板８４を取り付けてクロス断層撮影機能を追加してもよい。
【００３１】
次に、図１１を参照しつつ上記制御装置５１の第１ＣＰＵ５３Ａの作動について説明すると、まず、ステップＳ１で電源が投入されると、ステップＳ２で大型表示パネル６８Ａが装着されているか否かを判断する。ステップＳ２で大型表示パネル６８Ａが装着されていれば、ステップＳ３において、第１ＣＰＵ５３Ａが第１記憶部５４Ａに記憶されたクロス断層撮影用制御プログラムを読み出した後、ステップＳＳ３に移行する。
【００３２】
ステップＳ４〜Ｓ６ではディップスイッチ５０ａ〜５０ｃからの入力信号に基づいて、自動露出機能、自動位置付け機能及びスペシャルパノラマ機能が有効か否かを判断する。
まず、ステップＳ４においてディップスイッチ５０ａが“ＯＮ”であれば、自動露出機能を装備していると判断し、ステップＳ７において第１記憶部５４Ａから自動露出用制御プログラムを起動した後、ステップＳ５に移行する。一方、ステップＳ４においてディップスイッチ５０ａが“ＯＦＦ”であれば、自動露出機能は装備していないと判断し、ステップＳ５に移行する。次に、ステップＳ５において、ディップスイッチ５０ｂが“ＯＮ”であれば、自動位置付け機能を装備していると判断し、ステップＳ８において第１ＣＰＵ５３Ａが第１記憶部５４Ａから自動位置付け制御プログラムを起動する。一方、ステップＳ５においてディップスイッチ５０ｂが“ＯＦＦ”であれば、自動位置付け機能は装備していないと判断し、ステップＳ６に移行する。次に、ステップＳ６においてディップスイッチ５０ｃが“ＯＮ”であれば、スペシャルパノラマ撮影機能を装備していると判断し、ステップＳ９において第１ＣＰＵ５３Ａが第１記憶部５４Ａからスペシャルパノラマ撮影制御プログラムを起動する。一方、ステップＳ６においてディップスイッチ５０ｃが“ＯＦＦ”であれば、スペシャルパノラマ撮影機能は装備していないと起動する。
【００３６】
このように制御装置５１の第１ＣＰＵ５３Ａは、小型表示パネル６８Ａと大型表示パネル６８Ｂのいずれが装着されているか及びディップスイッチ５０ａ〜５０ｃの設定に基づいて特別機能の実行に必要なプログラムを第１記憶部５４Ａから読み出す。
【００３７】
次に、図１２に基づいて上記第２ＣＰＵ５３Ｂの作動について説明すると、まず、ステップＳ１１において電源が投入されると、ステップＳ１２上記自動位置付け機能用の回路基板７１（図６参照）が装着されているか判断し、装着されていない場合には、ステップＳ１３において第２記憶部５４Ｂから読み出した自動露出機能未装着制御プログラムを起動する。一方、ステップＳ１２において上記回路基板７１が装着されている場合には、ステップＳ１４において自動露出機能の初期調整が完了しているか否かを判断する。ステップＳ１４で初期調整が完了していない場合には、ステップＳ１５において第２記憶部５４Ｂから読み出した初期調整補助プログラムを起動した後、ステップＳ１６に移行する。一方、ステップＳ１４において初期調整が完了してる場合には、ステップＳ１６に移行する。ステップＳ１６では自動露出機能制御プログラムを起動する。
【００３８】
このように第１実施形態のＸ線撮影装置では、制御装置５１の第１ＣＰＵ５３Ａがディップスイッチ５０ａ〜５０ｃの設定に基づいて、上記自動露出機能等の複数の特別機能のうち特定の特別機能を実行可能とする。よって、Ｘ線撮影装置１０の設置後に自動露出機能等の特定の特別機能を実現するための回路基板６９，７１，７４，８４やセンサ６７，６８，７０等を追加したり、必要に応じてＸ線発生装置４５やＸ線受像装置４６を交換すると共に、ディップスイッチ５０ａ〜５０ｃを切り換えるだけで標準仕様に対して特別機能を追加することができる。よって、Ｘ線撮影装置１０の納品、設置後も使用者等の要求に応じて、自動露出等の機能を容易に追加することができる。
また、この第１実施形態のＸ線撮影装置では上記のように標準仕様に種々の特別機能を追加して種々の仕様に変更することができるが、別仕様であっても標準仕様に対して追加する回路基板６９，７１，７４，８４の有無、Ｘ線撮影装置４５、Ｘ線受像装置４６の種類、ディップスイッチ５０ａ〜５０ｃの設定等が異なるだけであり、制御装置５１等の他の大部分の機構を共用することができる。よって、第１実施形態のＸ線撮影装置であれば、製造コストを低減することができる。
【００３９】
（第２実施形態）
図１３は、本発明の第２実施形態に係るＸ線撮影装置１０を示している。
このＸ線撮影装置１０における標準仕様は、パノラマ撮影機能の他、セファロ撮影機能を備えており、支柱１６にセファロスタッド９０が取り付けられている。
また、Ｘ線発生装置４５は、旋回ユニット２６の本体２７に対して回動可能な回動型である。図１４（Ａ）に示すように、この回動型のＸ線発生装置４５は旋回ユニット２６の本体２７に対して回動自在に取り付けられた回動軸９１に固定されており、回動用モータ９２の回転方向に応じてＸ線発生装置４５全体が可動するようになっている。また、一次スリットを有するＸ線遮蔽板６０をスリット用モータ７７により移動させることにより、パノラマ撮影時とセファロ撮影時でスリット幅を変更できるようになっている。
さらに、図１５に示すよう、セファロ機能用の回路基板９３を下部フレーム２４内に取り付けて制御装置５１の第１ＣＰＵ５３Ａに接続する。
第２実施形態の標準仕様のその他の構成は上記した第１実施形態の標準仕様と同一である。
【００４０】
セファロ撮影では、セファロスタット９０の先端に設けた被撮影者の頭部位置付け機構９５に被撮影者を位置付けし、旋回ユニット２６の本体２７を旋回させると共に、Ｘ線発生装置４５を回動させて、Ｘ線受像装置４６に干渉されることなく、Ｘ線発生装置４５と被撮影者を対向させる。そして、この状態でＸ線発生装置４５から被撮影者に向けてＸ線を照射し、透過Ｘ線をセファロスタット９０の先端に取り付けたＸフィルムカセット９７により受ける。
【００４１】
第２実施形態の標準仕様に自動露出機能、自動位置付け機能、スペシャルパノラマ撮影機能、クロス断層撮影機能を追加する場合は、第１実施形態の場合と同様に追加する特別機能に必要な回路基板、センサ等を追加し、その特別機能に対応し、ディップスイッチ５０ａ〜５０ｃをオンすればよい。例えば、クロス断層撮影機能を追加する場合には、クロス断層撮影機能用の回路基板８４（図１０参照）を追加すると共に、Ｘ線発生装置４５を図１４（Ｂ）に示すようなクロス断層撮影用のものに交換し、かつ、Ｘ線受像装置４６を上記図９に示す揺動機構を備えるものに交換する。さらに、小型表示パネル６８Ａに代えて大型表示パネル６８Ｂを取り付ける。
【００４２】
なお、この第２実施形態において、支柱に上記セファロスタット取付をボルト止めするための取付孔を設けておき、セファロスタットは必要に応じて後付け可能としてもよい。この場合、セファロ機能用のディップスイッチを設けておき、支柱にセファロスタットを後付けする場合にのみ、そのディップスイッチをオンすればよい。
【００４３】
本発明は、上記実施形態に限定されるものではなく、種々の変形が可能である。
例えば、本発明のＸ線撮影装置に関する品質情報やコンピュータのバージョンアップのために通信回路を介して制御装置と外部のコンピュータの間で通信を行うようにしてもよい。これには２つの方法がある。１つは、外部のコンピュータから直接に通信回路を介してパノラマＸ線装置のＣＰＵと通信する方法で、もう１つは、外部コンピュータから院内ＬＡＮや既存の院内のコンピュータを経由してパノラマＸ線装置と通信する方法である。このいずれかにより、コンピュータソフトの品質情報やバージョンアップを通信回路を使用して行うことができる。
【図面の簡単な説明】
【図１】  第１実施形態に係るＸ線撮影装置を示す斜視図である。
【図２】  固定型のＸ線受像装置を備える旋回ユニットの部分断面正面図である。
【図３】  標準仕様を示す概略構成図である。
【図４】  （Ａ）はスリット形状一定型のＸ線発生装置を示す断面図、（Ｂ）は一次スリット形状可変型のＸ線発生装置を示す断面図である。
【図５】  自動露出機能追加仕様を示す概略構成図である。
【図６】  自動位置付け機能追加仕様を示す概略構成図である。
【図７】  自動露出及び自動位置付け機能追加仕様を示す概略構成図である。
【図８】  スペシャルパノラマ撮影機能追加仕様を示す概略構成図である。
【図９】  揺動型のＸ線受像装置を備える旋回ユニットの部分断面正面図である。
【図１０】  クロス断層撮影機能追加仕様を示す概略構成図である。
【図１１】  第１ＣＰＵの作動を説明するためのフローチャートである。
【図１２】  第２ＣＰＵの作動を説明するためのフローチャートである。
【図１３】  第２実施形態に係るＸ線撮影装置を示す斜視図である。
【図１４】  （Ａ）は第２実施形態におけるスリット形状一定型のＸ線発生装置を示す断面図、（Ｂ）は第２実施形態における一次スリット形状可変型のＸ線発生装置を示す断面図である。
【図１５】  第２実施形態の標準仕様を示す概略構成図である。
【符号の説明】
１８…昇降ユニット、２６…旋回ユニット、４５…Ｘ線発生装置、４６…Ｘ線受像装置、５０ａ，５０ｂ，５０ｃ…ディップスイッチ、５１…制御装置、５３Ａ…第１ＣＰＵ、５３Ｂ…第２ＣＰＵ、５４Ａ…第１記憶部、５４Ｂ…第２記部、６７…Ｘ線センサ、６８Ａ…小型表示パネル、６８Ｂ…大型表示パネル、６９，７１，７４，８４…基板回路
【図１】
0003699255.tif 000002
【図２】
0003699255.tif 000003
【図３】
0003699255.tif 000004
【図４】
0003699255.tif 000005
【図５】
0003699255.tif 000006
【図６】
0003699255.tif 000007
【図７】
0003699255.tif 000008
【図８】
0003699255.tif 000009
【図９】
0003699255.tif 000010
【図１０】
0003699255.tif 000011
【図１１】
0003699255.tif 000012
【図１２】
0003699255.tif 000013
【図１３】
0003699255.tif 000014
【図１４】
0003699255.tif 000015
【図１５】
0003699255.tif 000016